(57)【要約】      （修正有）【課題】複写物、写真、又は他の物が、これらの写真や複写物が見開きページ上で２つのページの間の結合部で大きく変形することなく示されるのを可能にするように、且つ、挿入物の２つのページが、雑誌のページをめくる動作と同様の自然な動作によって開かれるように改良された雑誌の挿入物を提供する。【解決手段】４つのパネル９，１０，１１，１２、すなわち２つのアウターパネル９，１２及び２つのインナーパネル１０，１１で構成されたシートを備え、各アウターパネル９，１２は切り込み線１３，１５を介してインナーパネル１０，１１に接続され、２つのインナーパネル１０，１１は切り込み線１４を介して互いに接続され、各切り込み線１３，１４，１５はパネルの高さ方向に延び、２つのアウターパネルのそれぞれは、インナーパネルと繋がる切り込み線から離れたアウターパネルの縁部に沿って結合用ストリップ１７，１８によって拡張される。【選択図】図５
0003192000.tif 000002
【実用新案登録請求の範囲】
【請求項１】
４つのパネル（9,10,11,12）、すなわち２つのアウターパネル（9,12）及び２つのインナーパネル（10,11）で構成されたシートを備え、
上記２つのアウターパネルは同じ高さ及び同じ幅を有し、
上記２つのインナーパネルは同じ高さ及び同じ幅を有し、
各アウターパネル（9,12）は切り込み線（13,15）を介してインナーパネル（10,11）に接続され、
上記２つのインナーパネル（10,11）は上記切り込み線（14）を介して互いに接続され
、各切り込み線（13,14,15）は上記パネルの高さ方向に延び、
２つのアウターパネルのそれぞれは、上記インナーパネルと繋がっている切り込み線から離れた該アウターパネルの縁部に沿う結合用ストリップ（17,18）によって拡張され、
上記インナーパネルの幅は上記アウターパネルの幅よりも狭いことを特徴とする刊行物の挿入物。
【請求項２】
請求項１に記載の挿入物において、
上記アウターパネル（9,12）とインナーパネル（10,11）との幅の違いは、上記アウタ
ーパネルの幅の５％から１５％の範囲内であることを特徴とする挿入物。
【請求項３】
請求項１に記載の挿入物において、
上記アウターパネル（9,12）とインナーパネル（10,11）との幅の違いは、上記アウタ
ーパネルの幅の５％から１０％の範囲内であることを特徴とする挿入物。
【請求項４】
請求項１に記載の挿入物において、
上記アウターパネルの幅は、１９cmから２６cmの範囲内であり、且つインナーパネルとアウターパネルとの間の幅の違いは、１cmから４cmの範囲内であることを特徴とする挿入物。
【請求項５】
請求項１に記載の挿入物において、
１８０g/m2から２５０g/m2の範囲内の重さを有する紙で構成されていることを特徴とする挿入物。
【請求項６】
請求項５に記載の挿入物において、
２００g/m2から２２５g/m2の範囲内の重さを有する紙で構成されていることを特徴とする挿入物。
【請求項７】
請求項１に記載の挿入物において、
上記アウターパネル（9,12）の結合用ストリップ（17,18）は、５mm以下であることを
特徴とする挿入物。
【請求項８】
請求項１に記載の挿入物において、
上記アウターパネル（9,12）における上記２つの結合用ストリップ（17,18）は、互い
に接着されていることを特徴とする挿入物。
【請求項９】
綴り結合部（5）で集められた複数のページ（3）を有する刊行物であって、請求項１から８のいずれか１つに記載の挿入物を備えることを特徴とする刊行物。
【請求項１０】
請求項９に記載の刊行物において、
上記挿入物のアウターパネル（9,12）の結合用ストリップ（17,18）は、綴り結合部（5）において固定されていることを特徴とする刊行物。
【考案の詳細な説明】
【技術分野】
【０００１】
本考案は、イラスト入りの雑誌に挿入するための挿入物、又はより一般的には複数のページを備えた刊行物に挿入するための挿入物に関する。
【背景技術】
【０００２】
上述のような挿入物の目的は、写真、文章、又は他の物を、見開きページにおいて可能な限り最高の条件下で公開するのを可能にすることである。
【０００３】
現在、雑誌が開かれ、表面に平らに置かれたとき、全てのページは、一般的に結合部として知られる結合用の縁部で丸まった形状になる。結合部では、ページは、ページの残りの大部分の平面に対して垂直に向けられている。丸まっている形状又は丸まった形状によって、ページ上に印刷されたイラストに奥行きが付け加えられる。
【０００４】
よって、見開きページにわたって連続的に広がった写真や広告をデザインするのは非常に難しい。読者にとって、写真の中央部分が丸まりによって変形し、写真の中央部分の細長い部分が結合部に隠れる。従って、写真の中央部分が該中央部分で不連続になるとともに変形して見える。
【０００５】
ある解決策は、各ページにおいて、写真の各部分を、他方のページの写真の一部にも見える追加の細長い部分とともに印刷することである。従って、いったん２つの追加の細長い部分が結合部で固定された場合、写真の連続性が再構成される。しかしながら、これは、ページが丸まることによって形成される奥行きの問題を解決できていない。
【０００６】
注意を払うことが必要なもう１つの問題は、２つの写真部分をページの高さ方向において一致させることである。上記２つの部分のずれが発生する場合がある。
【０００７】
従って、一般的に、雑誌の見開きページに写真を表現すると、幾分劣ったものになる。
【０００８】
別の表現方法は、横方向に外側に開く２重の見開きを提供することである。折り返し部分を追加することで、２、３、４、又はそれ以上のページの幅にわたって広がる写真や広告を表現できる。この例の方法では、挿入物の提供は通常、異なるパネルの数及び寸法によって、”フレンチドア”又は”観音開き”の名前で知られ、特に米国特許第２３１６７８６号明細書又は米国特許第３８６６９００号明細書で開示されている。
【考案の概要】
【考案が解決しようとする課題】
【０００９】
この構成では、挿入物を開くことは、自然に雑誌のページをめくって挿入物の内側を発見するときに得られる驚きの効果を大きく低減させる特定の操作を、雑誌の読者に要求する。
【００１０】
本考案の第１の目的は、複写物、写真、又は他の物が、これらの写真や複写物が見開きページ上で２つのページの間の結合部で大きく変形することなく示されるのを可能にするように、且つ、挿入物の２つのページが、雑誌のページをめくる動作と同様の自然な動作によって開かれるように改良された雑誌の挿入物を提供することである。
【００１１】
本考案のもう１つの目的は、視覚的な表示効果を生成するための新たな可能性を提案する挿入物を提供することである。
【課題を解決するための手段】
【００１２】
従って本考案では、挿入物は、４つのパネル、すなわち２つのアウターパネル及び２つのインナーパネルで構成されたシートを備え、２つのアウターパネルは同じ高さ及び同じ幅を有し、２つのインナーパネルは同じ高さ及び同じ幅を有し、各アウターパネルは切り込み線を介してインナーパネルに接続され、２つのインナーパネルは切り込み線を介して互いに接続され、各切り込み線はパネルの高さ方向に延び、２つのアウターパネルのそれぞれは、インナーパネルと繋がっている切り込み線から離れた該アウターパネルの縁部に沿う結合用ストリップによって拡張され、インナーパネルの幅はアウターパネルの幅よりも狭い。
【００１３】
本考案における刊行物は、綴り結合部で共に組み合わされた複数のページを含み、該刊行物は、該刊行物が上述のような挿入物を含んでいることを特徴としている。
【００１４】
他の特徴によれば、挿入物のアウターパネルの結合用ストリップが、綴り結合部で固定される。
【００１５】
本考案は、以下の説明及びそれに添付された付随する図面を参照して、より理解できる。
【図面の簡単な説明】
【００１６】
【図１】図１は、従来の雑誌を示す図である。
【図２】図２は、開いた状態における図１の雑誌を示す。
【図３】図３は、展開された時の本考案に係る挿入物を示す。
【図４】図４は、折り畳まれて組み合わされた時の図３の挿入物を示す図である。
【図５】図５は、開いた状態における図３の挿入物を示す。
【図６】図６は、挿入物の見開きページで開いた状態の図２の雑誌を示す。
【考案を実施するための形態】
【００１７】
図１に模式的に示される雑誌１は、既知のように、１枚が別の１枚の上面に積み重ねられた複数のページ３を覆って折り畳まれたカバー２を備えている。ページ３及びカバー２は、雑誌の背４において、あらゆる適切な方法によって、例えば各ページの縁部を共に結合する接着剤によって結合されている。ページ及びカバーを共に結合する一般的な手法は、”接着角背”として知られている。ページは、通常読む手順で組み合わされ、完全に平らな背を得るためにペーパーカッターによって切断される。このように形成された本は、背の上に配置され、それから、接着剤を浸透させるのを可能にする切欠を得るためにカットされ、これによりカバーの背に各ページの接着が完璧に提供される。このように、カバーが付け加えられる。任意で、結合されていない三辺が切断され、これによりそれらの縁部が非常に規則的になる。
【００１８】
他の結合手法にも適している。例えば、ページは、互いに接着されて結合され且つカバーに結合された折丁において共に組み合わされても良い。
【００１９】
背に沿って、各ページは、結合している接着剤を支持するストリップを提供している。同時に、接着で結合されたストリップは、一般的に結合部として知られているものを形成する。従って、雑誌１は、背４に沿って結合部５を提供している。現在の雑誌の場合、結合部の幅は３ｍｍから６ｍｍの範囲であり、しばしば５ｍｍに等しい。
【００２０】
従来の方法では、雑誌のページは長方形であり、慣例によって、ある高さとある幅を有しているとされていて、ページの背は上記高さ方向に向けられ、上記幅は上記高さ方向に垂直に向けられている。
【００２１】
通常、雑誌のページは、１平方メートル当たり６５グラム（g/m2）から１１０g/m2までの範囲内にあり、好ましくは６５g/m2から８０g/m2までの範囲内にある。カバー自身は、より重い紙によって構成されている。
【００２２】
好ましくは、本考案は、接着剤によってページ又は折丁を結合するのに適用される。しかし、他の結合方法を用いることもできる。
【００２３】
図２は、平らな表面（図示省略）に開いた状態で置かれた雑誌１を示す。この図では、ページ６及び７が、その領域６ａ及び７ａに丸まった形状を提供していることを示している。この丸まりは、雑誌が開かれる場所によって異なる場合がある。また、読者が手で雑誌を持つ方法によっても異なる場合がある。原則として、雑誌が厚みの中央付近で開いているときに、丸まりは背の両側において同じになり、一方側におけるページ数が増えるほど、背がページ数を多く含んでいる側へ自然に傾き、他方側の丸まりが明白になる。全ての状況下で、雑誌は、ページの図を変形させる少なくとも１つの丸められた形状を示す。
【００２４】
図３は、展開された時の挿入物８を示す。
【００２５】
挿入物８は、ヒンジを形成する切り込み線１３，１４，１５を介して共に対になるように接続される４つの可撓性のパネル９，１０，１１，及び１２で構成されるシートを備えている。切り込み線は、パネルが互いに横に延びるように、パネルの高さ方向に向けられている。好ましくは、４つのパネル及びその切り込み線は、１枚の片として作られている。
【００２６】
パネルの高さは、ページの高さよりも大きくない。好ましくは、パネルの高さは少しだけ小さく、すなわち数ミリだけ小さい。
【００２７】
パネルの幅は、以下のように決定される。アウターパネル９及び１２は、雑誌のページの幅よりも大きくなく、同じ幅を有している。雑誌のページの幅は、実際に使える幅、すなわちページの見えている部分の幅である。好ましくは、上記幅は実際に使える幅よりも少しだけ小さい。インナーパネル１０及び１１は、アウターパネルの幅よりも小さい。所望の効果を得るために、上記インナーパネルの幅は１センチメートル（cm）から４cm小さい。アウターパネルの幅が２３cmでインナーパネルの幅が２１cmのときに良好な結果が得られる。また、アウターパネルの幅が２２cmでインナーパネルの幅が２１cmのときにも良好な結果が得られ、アウターパネルの幅が２６cmでインナーパネルの幅が２２．５cmのときでさえも良好な結果が得られる。示される実施形態では、各アウターパネルは、雑誌の結合用ストリップの幅よりも大きくない幅、すなわち幅が５mmの結合部に対して５mmよりも大きくない幅を有するストリップ１７，１８によって拡張されている。各アウターパネル９，１２は、該アウターパネルの高さに沿って延びる切り込み線２０，２１を介して結合用ストリップ１７，１８に接続されている。切り込み線２０及び２１は、本質的ではないが、パネルが該パネルに繋がっている結合用ストリップと連続するのが可能になっているのが好ましい。
【００２８】
挿入部は、可撓性を有するものの雑誌のページの剛性よりも高い剛性を示す材料で構成されている。例えば、パネルは、６５g/m2から８０g/m2の範囲内の重さを有する紙で構成されるページに対して、１８０g/m2から２５０g/m2の範囲内の重さを有する紙で構成しても良く、好ましくは、２００g/m2から２２５g/m2の範囲内である。重さが軽すぎる紙は、パネルが柔らかくなりすぎるため望まれず、特にアウターパネルは、インナーパネルがぴんと張るための十分な剛性を有さず、そして、重すぎる紙も、パネルが硬くなりすぎるため、挿入物が開くのを妨げるだろう。更に、挿入物は、雑誌において厚すぎるだろう。他の材料、例えばシート状のプラスチック材料、又は多層材料なども適している。
【００２９】
図４は、雑誌に挿入されるように準備された１枚のページを形成する、折り畳まれて組み立てられた挿入物を示している。明確さを目的として、この図では、挿入物の厚さの寸法は誇張されている。
【００３０】
組み立て品は、パネルが積み重ねられてように折り込み線で互いの上にパネルを折り畳み、そして２つの結合用ストリップ１７及び１８が共に離れないように接着により結合することで形成される。雑誌が組み立てられる間にパネルが互いに対して滑ることにより挿入物がずれてしまうのを回避するため、この段階、すなわち雑誌のページの間に挿入物を挿入する前に結合用ストリップを共に組み合わせるのが好ましい。接着による結合以外の解決策も存在する。例えば、互いに嵌合する相補的な形状、例えばフック状の切欠部分や、他方のストリップのスロットに貫通する一方のストリップのツメを用いて、２つの結合用ストリップを共に機械的に固定することが可能である。
【００３１】
この図では、インナーパネル及びアウターパネルの幅の差の結果として、２つのインナーパネルの間の切り込み線１４が完全に結合用ストリップ１７，１８の背面側に設定されていることが明らかに理解できる。切り込み線１４及び結合用ストリップの間には干渉はない。
【００３２】
図５は、開いた状態の挿入物８を示し、図６は、開いた状態の雑誌のページの間で開かれた挿入物８を示す。
【００３３】
挿入物は、雑誌が組み立てられている間に雑誌において組み立てられる。挿入物は、２つのページの間に、結合用ストリップ１７及び１８が、上記２つのページの結合用ストリップの間で固定されるように配置される。挿入物は、高さ方向において、その自由縁部が雑誌の縁部を超えないように配置される。従って、挿入物は、ページの結合によって結合部に保持される。結合された後、切り込み線１４が完全に自由なままであることが観察されるべきである。
【００３４】
挿入物は、丸められた形状がバランスが取れるように雑誌の中央部分付近で組み立てることができるが、これに限らず、挿入物はいかなる場所に配置することもできる。
【００３５】
挿入物は、雑誌のページをめくるための動作と同様の自然な動作によって開かれる。挿入物が開かれるとアウターパネルがアーチ状になり、該挿入物が置かれているページの丸まりにぴったり合う。インナーパネルに対する幅の違いにより、図５及び図６に示すように、インナーパネルがぴんと張って互いにほとんど直線状になる。２つの要因、すなわち、アウターパネルが置かれているページの丸まり形状に近い形状に丸められるアウターパネルの重さと、アウター及びインナーパネルの間の幅の違いとが、インナーパネルの張りを促進する。その違いが大きくなるほど、張りが大きくなる。しかしながら、その違いが大きすぎると、アウターパネルが反り返ってしまい、美しくない。
【００３６】
幅の違いが、アウターパネルの幅の５％から１５％の範囲内であると、好ましくは５％から１０％の範囲内であると、良い結果を得ることができると思われる。現在の雑誌では、１９cmから２６cmの範囲内の幅のアウターパネルを有し、インナーパネルとアウターパネルとの幅の違いが１cmから４cmの範囲内となる挿入物が作られている。
【００３７】
このように、挿入物は、伝達媒体として利用可能な４つの直接可視面を提供している。特に、２つのインナーパネルは、見開きページにわたる１つの表面を提供している。見開きページに印刷されている写真やイラストは、２つのインナーパネルを接続する切り込み線で大きく変形することなく、読者の目に映る。奥行きの影響は、２つのアウターパネルのアーチ形状によって吸収される。写真は、挿入物全体において該挿入物上に直接印刷しても良いため、通常存在する２つの写真部分の間のずれの危険性はない。
【００３８】
挿入物は、ページをめくる動作と同様の自然な動作によってパネルをめくることによって閉じられる。切り込み線１４の復元効果と、アウターパネル１０及び１１の重みとの結果、インナーパネルは、図４に示す形状におけるアウターパネル９及び１２の間に自然に折り畳まれる。
【００３９】
また、挿入部８は、直接見ることができないパネルの表面において伝達媒体を提供する。これらの表面は、特にアウターパネルの表面は、第２面を形成し、この表面には、インナーパネルをはっきり見せるためにインナーパネルの第１面と対照的な背景色を印刷しても良い。また、テキストやロゴ、又は他のあらゆるイラストを印刷することができる。
【００４０】
もう１つの変形例は、１又はそれ以上のインナーパネル及び／又は１又はそれ以上のアウターパネルに、１又はそれ以上の切り取りを形成することにある。切り取りは、他方のパネルの表面によって形成された背景によってはっきりと見える。一例として、その切り取りをロゴの形状にしても良い。
【００４１】
他の変形例は、魅力的な視覚効果が得られるようにすることが可能である。
【００４２】
上述した考案は、制限されず、変形例が可能である。
【００４３】
特に、パネルの自由縁部は、２つのアウターパネルの間以外の場所、特にアウターパネルとインナーパネルとの間の切り込み線、又は２つのインナーパネルの間の切り込み線で挿入物を形成するために組み立てられる。この構成では、パネルは、隣接するパネルに組み立てられる折り畳みを介して延びている。この構成では、結合用ストリップは、切り込み線を介して互いに結合される。
【００４４】
挿入物の寸法は、雑誌のページの寸法と異なっていても良い。
【００４５】
最後に、本考案は雑誌に限らず、ページを含むあらゆる種類の刊行物に適用できる。
【図１】
0003192000.tif 000003
【図２】
0003192000.tif 000004
【図３】
0003192000.tif 000005
【図４】
0003192000.tif 000006
【図５】
0003192000.tif 000007
【図６】
0003192000.tif 000008